(57)【特許請求の範囲】
【請求項１】
車両から料金を収受する料金所の各通行レーンごとに設けられ、車両の一時停止を必要とせずに自動で料金の支払いを行う自動料金収受（ＥＴＣ）方式専用のＥＴＣ専用レーン、車両が一時停止して料金の支払いを行う一般料金収受方式専用の一般専用レーン、および自動料金収受方式および一般料金収受方式の両方に対応した混合レーンのうち、当該レーンがいずれの料金収受方式のレーンであるかを車両に通知する情報表示装置であって、
表示面が全体として横長の長方形をなすとともに、その長方形の長尺方向に３つの表示領域が並設されており、これら表示領域がＬＥＤからなる複数の表示画素で構成されている表示部と、
当該レーンの料金収受方式に応じて前記表示部の各表示画素を前記各表示領域単位で一括して点灯制御する制御部とを備え、
前記３つの表示領域は、ＥＴＣ専用レーンに対応した第１の色地と白文字とを表示する複数の表示画素からなるＥＴＣ領域、一般専用レーンに対応した第２の色地と白文字とを表示する複数の表示画素からなる一般領域、およびＥＴＣ領域と一般領域との間に設けられ、斜め境界部を挟んでＥＴＣ領域側に配置された前記第１の色地を表示する複数の表示画素と一般領域側に配置された前記第２の色地を表示する複数の表示画素とからなる中間領域から構成され、
前記制御部は、当該レーンがＥＴＣ専用レーンのときは、ＥＴＣ領域の各表示画素を点灯して一般領域および中間領域の各表示画素を滅灯し、当該レーンが一般専用レーンのときは、一般領域の各表示画素を点灯してＥＴＣ領域および中間領域の各表示画素を滅灯し、当該レーンが混合レーンのときは、ＥＴＣ領域、一般領域および中間領域の各表示画素を点灯することを特徴とする情報表示装置。
【請求項２】
車両から料金を収受する料金所の各通行レーンごとに設けられ、車両の一時停止を必要とせずに自動で料金の支払いを行う自動料金収受（ＥＴＣ）方式専用のＥＴＣ専用レーン、車両が一時停止して料金の支払いを行う一般料金収受方式専用の一般専用レーン、および自動料金収受方式および一般料金収受方式の両方に対応した混合レーンのうち、当該レーンがいずれの料金収受方式のレーンであるかを車両に通知する情報表示装置であって、
表示面が全体として横長の長方形をなすとともに、その長方形の長尺方向に３つの表示領域が並設されており、これら表示領域がＬＥＤからなる複数の表示画素で構成されている表示部と、
当該レーンの料金収受方式に応じて前記表示部の各表示画素を前記各表示領域単位で一括して点灯制御する制御部とを備え、
前記３つの表示領域は、ＥＴＣ専用レーンに対応した第１の色地と白文字とを表示する複数の表示画素からなるＥＴＣ領域、一般専用レーンに対応した第２の色地と白文字とを表示する複数の表示画素からなる一般領域、およびＥＴＣ領域と一般領域との間に設けられ、前記表示領域の略中央位置とこの略中央位置と斜めに交差する斜め境界部とに挟まれたそれぞれ三角形をなす下側共用領域および上側共用領域を有し、これら下側共用領域および上側共用領域ごとに前記第１または第２の色地のいずれかを個別に表示する複数の表示画素からなり、
前記制御部は、当該レーンがＥＴＣ専用レーンのときは、ＥＴＣ領域の各表示画素を点灯するとともに下側共用領域の各表示画素を第１の色地で点灯して一般領域および上側共用領域の各表示画素を滅灯し、当該レーンが一般専用レーンのときは、一般領域の各表示画素を点灯するとともに上側共用領域の各表示画素を第２の色地で点灯してＥＴＣ領域および中間領域の各表示画素を滅灯し、当該レーンが混合レーンのときは、ＥＴＣ領域および一般領域の各表示画素を点灯し、さらに下側共用領域の各表示画素を第２の色地で点灯するとともに上側共用領域の各表示画素を第１の色地で点灯することを特徴とする情報表示装置。
【請求項３】
請求項１または２記載の情報表示装置において、
前記第１の地色として紫色を用い、前記第２の地色として緑色を用いることを特徴とする情報表示装置。
【請求項４】
請求項１または２記載の情報表示装置において、
前記第１の地色を表示する表示画素は、その表示画素の横幅の１／２以下のピッチで配置された青色ＬＥＤと赤色ＬＥＤとから構成することを特徴とする情報表示装置。
【請求項５】
請求項１記載の情報表示装置において、
前記白文字は、前記ＥＴＣ領域および前記一般領域の略中央位置にそれぞれ配置することを特徴とする情報表示装置。
【請求項６】
請求項１または２記載の情報表示装置において、
前記一般領域に代えて、ＥＴＣ専用レーンに対応した第１の色地と白文字、および一般専用レーンに対応した第２の色地と白文字のいずれかを選択表示する複数の表示画素からなる一般領域を設け、
前記制御部は、当該レーンがＥＴＣ専用レーンのときは、一般領域でＥＴＣ専用レーンに対応した第１の色地と白文字を表示する各画素を点灯することを特徴とする情報表示装置。
【発明の詳細な説明】
【０００１】
【発明の属する技術分野】
本発明は、情報表示装置に関し、特に車両から料金を収受する料金所の各通行レーンごとに設けられ、当該レーンがいずれの料金収受方式のレーンであるかを車両に通知する情報表示装置に関するものである。
【０００２】
【従来の技術】
有料道路や駐車場などに設置されている料金所では、料金を収受する方式として、車両が一時停止して料金の支払いを行う従来からの一般料金収受方式の他に、車両の一時停止を必要とせずに自動で料金の支払いを行う自動料金収受（ＥＴＣ：Electronic Toll Collection ）方式が導入されている。この自動料金収受方式は、料金所を通過する際、ゲートと車載装置との間で無線通信を行い、自動的に料金を支払うシステムであり、車両の一時停止を必要としないことから、料金所付近の交通渋滞の緩和や排気ガスの低減といった効果が期待されている。
【０００３】
自動料金収受方式では、予め車載装置が必要なため、車載装置のない車両ではこの方式による料金支払いを行うことができない。したがって、このような混乱を避けるため、料金所では各通行レーンごとに情報表示装置を設置して、当該レーンがいずれの料金収受方式のレーンであるかを車両の運転者に通知している。この情報表示装置により、自動料金収受方式専用のＥＴＣ専用レーン、一般料金収受方式専用の一般専用レーン、または自動料金収受方式および一般料金収受方式の両方に対応した混合レーンのうち、当該レーンがいずれの料金収受方式のレーンであるかが車両の運転者に通知される。
【０００４】
料金所では、日時や混雑状況に応じて、各通行レーンでの料金収受方式を変更する必要がある。従来、図１１に示すように、通行レーンの入口上部に情報表示装置を設置して、各料金収受方式のレーンを示す３種類の字幕を用意し、当該レーンがＥＴＣ専用レーンの場合は、図１１（ａ）に示すように、紫地に白文字表示の「ＥＴＣ」という字幕を選択し、一般専用レーンの場合は、図１１（ｂ）に示すように、緑地に白文字表示の「一般」という字幕を選択し、また混合レーンの場合は、図１１（ｃ）に示すように、紫地と緑地のそれぞれに白文字表示した「ＥＴＣ／一般」の字幕を選択し、これら字幕を背後からの照明により点灯表示するものとなっていた。
【０００５】
【発明が解決しようとする課題】
このような情報表示装置については、視認性の向上や装置のメンテナンス性さらには耐久性の向上などの観点から、機械的構造を有する字幕式ではなく、ＬＥＤを用いた情報表示装置の実現が要求されている。ＬＥＤを用いて情報表示装置を実現する場合、異なる表示色が必要となることからフルカラーで表示可能な表示装置を用いる方法が考えられる。しかしながら、このような料金収受方式を表示する場合、数種類の固定的な表示パターンのうちからいずれかを選択し、頻繁に切り替えることなく長時間にわたって１つの表示パターンを表示することから、フルカラー表示を実現するための回路構成、具体的には各表示画素ごとに青、赤、緑のＬＥＤの輝度を個別に制御するための回路構成が過剰となり、安価な情報表示装置を実現できないという問題点があった。
本発明はこのような課題を解決するためのものであり、簡素な回路構成で良好な視認性が得られる情報表示装置を提供することを目的としている。
【０００６】
【課題を解決するための手段】
このような目的を達成するために、本発明にかかる情報表示装置は、表示面が全体として横長の長方形をなすとともに、その長方形の長尺方向に３つの表示領域が並設されており、これら表示領域がＬＥＤからなる複数の表示画素で構成されている表示部と、当該レーンの料金収受方式に応じて表示部の各表示画素を各表示領域単位で一括して点灯制御する制御部とを備え、３つの表示領域は、ＥＴＣ専用レーンに対応した第１の色地と白文字とを表示する複数の表示画素からなるＥＴＣ領域、一般専用レーンに対応した第２の色地と白文字とを表示する複数の表示画素からなる一般領域、およびＥＴＣ領域と一般領域との間に設けられ、斜め境界部を挟んでＥＴＣ領域側に配置された第１の色地を表示する複数の表示画素と一般領域側に配置された第２の色地を表示する複数の表示画素とからなる中間領域から構成し、制御部で、当該レーンがＥＴＣ専用レーンのときは、ＥＴＣ領域の各表示画素を点灯して一般領域および中間領域の各表示画素を滅灯し、当該レーンが一般専用レーンのときは、一般領域の各表示画素を点灯してＥＴＣ領域および中間領域の各表示画素を滅灯し、当該レーンが混合レーンのときは、ＥＴＣ領域、一般領域および中間領域の各表示画素を点灯するようにしたものである。
【０００７】
また、本発明にかかる他の情報表示装置は、表示面が全体として横長の長方形をなすとともに、その長方形の長尺方向に３つの表示領域が並設されており、これら表示領域がＬＥＤからなる複数の表示画素で構成されている表示部と、当該レーンの料金収受方式に応じて表示部の各表示画素を各表示領域単位で一括して点灯制御する制御部とを備え、３つの表示領域は、ＥＴＣ専用レーンに対応した第１の色地と白文字とを表示する複数の表示画素からなるＥＴＣ領域、一般専用レーンに対応した第２の色地と白文字とを表示する複数の表示画素からなる一般領域、およびＥＴＣ領域と一般領域との間に設けられ、表示領域の略中央位置とこの略中央位置と斜めに交差する斜め境界部とに挟まれたそれぞれ三角形をなす下側共用領域および上側共用領域を有し、これら下側共用領域および上側共用領域ごとに第１または第２の色地のいずれかを個別に表示する複数の表示画素からなり、制御部は、当該レーンがＥＴＣ専用レーンのときは、ＥＴＣ領域の各表示画素を点灯するとともに下側共用領域の各表示画素を第１の色地で点灯して一般領域および上側共用領域の各表示画素を滅灯し、当該レーンが一般専用レーンのときは、一般領域の各表示画素を点灯するとともに上側共用領域の各表示画素を第２の色地で点灯してＥＴＣ領域および中間領域の各表示画素を滅灯し、当該レーンが混合レーンのときは、ＥＴＣ領域および一般領域の各表示画素を点灯し、さらに下側共用領域の各表示画素を第２の色地で点灯するとともに上側共用領域の各表示画素を第１の色地で点灯するようにしたものである。
【０００８】
地色については、第１の地色として紫色を用い、第２の地色として緑色を用いてもよい。
第１の地色を表示する表示画素については、その表示画素の横幅の１／２以下のピッチで配置された青色ＬＥＤと赤色ＬＥＤとから構成してもよい。
また、白文字については、ＥＴＣ領域および一般領域の略中央位置にそれぞれ配置してもよい。
また、上記の一般領域に代えて、ＥＴＣ専用レーンに対応した第１の色地と白文字、および一般専用レーンに対応した第２の色地と白文字のいずれかを選択表示する複数の表示画素からなる一般領域を設け、制御部で、当該レーンがＥＴＣ専用レーンのときは、一般領域でＥＴＣ専用レーンに対応した第１の色地と白文字を表示する各画素を点灯するようにしてもよい。
【０００９】
【発明の実施の形態】
次に、本発明の実施の形態について図面を参照して説明する。
図１は本発明の第１の実施の形態にかかる情報表示装置のブロック図である。情報表示装置１は、料金所の各通行レーンごとに設置されており、車両の一時停止を必要とせずに自動で料金の支払いを行う自動料金収受（ＥＴＣ）方式専用のＥＴＣ専用レーン、車両が一時停止して料金の支払いを行う一般料金収受方式専用の一般専用レーン、または自動料金収受方式および一般料金収受方式の両方に対応した混合レーンのうち、当該レーンがいずれの料金収受方式のレーンであるかを車両に通知する。
各情報表示装置１には、その表示内容を制御する手元操作盤２がそれぞれ併設されており、伝送路２１を介して相互に接続されている。各情報表示装置１は、料金所の管理事務所などに設置された車線制御装置３と伝送路３１を介して相互に接続されており、この車線制御装置３により各通行レーンに配置されている個々の情報表示装置１での表示内容を制御することもできる。
【００１０】
情報表示装置１には、制御処理部１０、調光部１１、表示部１２、照度センサ１３、温度センサ１４、冷却ファン１５、電源部１６が設けられている。
表示部１２は、表示面が全体として横長の長方形をなすとともに、その長方形の長尺方向に３つの表示領域、ＥＴＣ領域１２Ａ、中間領域１２Ｂおよび一般領域１２Ｃが並設され、これら表示領域がＬＥＤからなる複数の表示画素で構成されている。制御処理部（制御部）１０では、手元操作盤２や車線制御装置３から指示された当該レーンの料金収受方式に応じて表示内容を制御する。調光部（制御部）１１では、制御処理部１０からの点灯信号１７や調光信号１８に基づき、駆動信号１１Ａ〜１１Ｃを出力して表示部１２の各表示領域を個別に点灯制御する。
【００１１】
照度センサ１３では、情報表示装置１が設置されている場所における周囲の明るさを検出している。制御処理部１０では、照度センサ１３の出力に応じて調光信号１８を変化させる。これにより、調光部１１が駆動信号１１Ａ〜１１Ｃを制御して、表示部１２のＬＥＤ輝度を調節する。なお、手元操作盤２や車線制御装置３からも制御処理部１０へ調光を指示することができ、同様にして調光制御される。
温度センサ１４では、情報表示装置１の装置内温度を検出している。制御処理部１０では、温度センサ１４の出力に応じて表示部１２を消灯させるよう点灯信号１７を変化させる。これにより、表示部１２は消灯し、結果として装置内温度が下がる。また、温度センサ１４の出力に応じて装置に故障が発生したことを故障表示部（図示せず）で表示するようにしてもよい。
冷却ファン１５は、表示部１２を送風により冷却するファンであり、温度センサ１４の出力に応じて駆動制御されている。
【００１２】
電源部１６は、外部からのＡＣ電源を直流化し、情報表示装置１内の各回路部へ電源を供給している。調光部１１では、電源部１６の出力を常時監視し、電圧低下などの異常を電源異常信号１９により制御処理部１０へ通知している。
制御処理部１０では、この電源異常信号１９に応じて異常発生を手元操作盤２や車線制御装置３へ通知する。この他、制御処理部１０では、手元操作盤２や車線制御装置３からの表示指示に応じて、その指示に応じた表示結果を手元操作盤２や車線制御装置３へ通知する。
【００１３】
次に、図２〜４を参照して、表示部１２のＬＥＤ配置例について説明する。図２は表示部全体のＬＥＤ配置例、図３はＥＴＣ領域のＬＥＤ配置例、図４は中間領域および一般領域のＬＥＤ配置例である。
表示部１２の表示面は、全体として横長の長方形をなしており、その長方形の長尺方向（水平方向）に３つの表示領域、ＥＴＣ領域１２Ａ、中間領域１２Ｂおよび一般領域１２Ｃが並設されている。各表示領域は、複数の表示画素すなわちドットからなり、１つのドットは１つ以上のＬＥＤから構成されている。
【００１４】
ＥＴＣ領域１２Ａでは、複数の白色ドットで点綴り文字「ＥＴＣ」が構成され、その周囲に紫地を構成する多数の紫色ドットが配置されている。一般領域１２Ｃでは、複数の白色ドットで点綴り文字「一般」が構成され、その周囲に緑地を構成する多数の緑色ドットが配置されている。
これら白ドットを用いた点綴り文字すなわち白文字は、ＥＴＣ領域１２Ａおよび一般領域１２Ｃのほぼ中央位置にそれぞれ配置することにより、それぞれの領域を単独で点灯した場合でも、その点灯範囲の中央に白文字が配置されるためにバランスよく見え、良好な視認性が得られる。
【００１５】
また、中間領域１２Ｂには、正面視右上角から正面視左下角への対角線に沿って斜め境界部１２Ｓが設けられており、これを挟んで正面視左側のＥＴＣ領域１２Ａ側に紫地を構成する紫色ドットが配置され、正面視右側の一般領域１２Ｃ側に緑地を構成する緑色ドットが配置されている。なお、斜め境界線１２Ｓは、ドットの配置されていない黒地で構成されており、紫地と緑地との混色を避けることができる。同様にして白文字の周囲にも、必要に応じて隙間（黒地）が設けられており、白色ドットと地色のドットとの混色を避けることができる。
【００１６】
図５に各ドットの構成例を示す。紫色ドットは、図５（ａ）に示すように、１つの青色ＬＥＤと１つの赤色ＬＥＤから構成している。これらＬＥＤの発光色を混色させることにより紫の表示色を生成している。ＬＥＤの配置位置については、後述する白色ドットのＬＥＤと同様に青色ＬＥＤと赤色ＬＥＤを斜めに配置してもよく、あるいはドット上下方向の中央位置で水平方向に並設してもよい。後者の配置において、ＬＥＤ間のピッチをドットサイズの１／２以下とすることにより、青や赤の縞模様の発生を低減でき、青と赤の発光色が紫地として良好に混色表示される。
【００１７】
緑色ドットは、図５（ｂ）に示すように、ドットの中央位置に配置された１つの緑色ＬＥＤから構成している。
白色ドットは、図５（ｃ）に示すように、等ピッチで配置された４つの白色ＬＥＤから構成されている。なお、１〜３個の白色ＬＥＤで構成された白色ドットを用いることにより、文字をより正確に表現できる。
これらドットを構成する各ＬＥＤは、その表示色にかかわらず、それぞれ配置された表示領域ごとに一括して点灯・滅灯の制御が行われるように、例えば表示領域ごとに並列的に接続されている。
【００１８】
次に、図６を参照して、情報表示装置の動作について説明する。図６は情報表示装置の動作を示す説明図である。
当該レーンがＥＴＣ専用レーンである場合、調光部１１から駆動信号１１Ａのみが出力される。これにより、ＥＴＣ領域１２Ａに配置されているすべてのドット、すなわち白文字「ＥＴＣ」を構成する白色ドットおよび紫地を構成する紫色ドットが一括して点灯する。このとき中間領域１２Ｂおよび一般領域１２Ｃの全ドットは滅灯する。
【００１９】
当該レーンが一般専用レーンである場合、調光部１１から駆動信号１１Ｃのみが出力される。これにより、一般領域１２Ｃに配置されているすべてのドット、すなわち白文字「一般」を構成する白色ドットおよび緑地を構成する緑色ドットが一括して点灯する。このときＥＴＣ領域１２Ａおよび中間領域１２Ｂの全ドットは滅灯する。
当該レーンが混合レーンである場合、調光部１１からすべての駆動信号１１Ａ〜１１Ｃが出力される。これにより、ＥＴＣ領域１２Ａ、中間領域１２Ｂおよび一般領域１２Ｃに配置されているすべてのドット、すなわち白文字「ＥＴＣ」や「一般」を構成する白色ドット、紫地を構成する紫色ドットおよび緑地を構成する緑色ドットが一括して点灯する。
【００２０】
このように、ＬＥＤからなる複数の表示画素で構成されたＥＴＣ領域１２Ａ、中間領域１２Ｂおよび一般領域１２Ｃを表示部１２に設け、制御処理部１０および調光部１１で、当該レーンの料金収受方式に応じて各表示画素をこれら表示領域単位で一括点灯制御するようにしたので、フルカラーの表示画素を用いることなく所望の表示を行うことができ、フルカラーの表示装置と比較して、極めて簡素な回路構成で良好な視認性が得られる。
【００２１】
さらに、ＥＴＣ領域１２Ａと一般領域１２Ｃとの間に設けられた中間領域１２Ｂを、斜め境界部１２Ｓを挟んでＥＴＣ領域１２Ａ側に配置された紫地を表示する複数の表示画素と一般領域１２Ｃ側に配置された緑地を表示する表示画素とから構成し、さらに、混合レーンの表示の際にのみ中間領域１２Ｂを点灯し、ＥＴＣ専用レーンおよび一般専用レーンの表示の際には滅灯するようにしたので、ＥＴＣ専用レーンおよび一般専用レーンの表示において、白文字と紫地あるいは白文字と緑地を左右の偏りなく良好なバランスで表示できるとともに、混合レーンの表示において、ＥＴＣ料金収受方式と一般料金収受方式のどちらでも利用可能なことが、字幕式と同様にして表示できる。
また、ＥＴＣ専用レーンおよび一般専用レーンの表示について、それぞれ表示位置が固定されているため、表示色や白文字の違いだけでなく、その表示位置でも識別でき、高い識別性が得られる。
【００２２】
次に、図７を参照して、本発明の第２の実施の形態にかかる情報表示装置について説明する。図７は本発明の第２の実施の形態にかかる情報表示装置で用いる表示部全体のドット配置例である。
第１の実施の形態では、混合レーンの表示にのみ中間領域を点灯する場合について説明したが、図７に示すように、紫および緑を選択表示できる切替ドットを用いて、ＥＴＣ専用レーンおよび一般専用レーンの表示の際にも点灯してもよい。図７では、斜め境界部１２Ｓを挟んで下側共用領域１２Ｄと上側共用領域１２Ｅとが切替ドットにより構成されている。この切替ドットは、図８に示すように、青色ＬＥＤ、赤色ＬＥＤおよび緑色ＬＥＤをそれぞれ１つずつ用いて、紫地を表示する場合は青色ＬＥＤと赤色ＬＥＤとを点灯させ、緑地を表示する場合は緑色ＬＥＤのみを点灯させればよい。このとき、調光部１１では、表示部下側共用領域１２Ｄと上側共用領域１２Ｅとを個別に点灯制御する駆動信号を出力するようにすればよい。
【００２３】
これら下側共用領域１２Ｄと上側共用領域１２Ｅとを用いた場合は、図９に示すような表示動作となる。
当該レーンがＥＴＣ専用レーンの場合は、ＥＴＣ領域１２Ａを点灯するとともに下側共用領域１２Ｄで紫地を点灯し、一般領域１２Ｃおよび上側共用領域１２Ｅを滅灯する。当該レーンが一般専用レーンの場合は、一般領域１２Ｃを点灯するとともに上側共用領域１２Ｅで緑地を点灯し、ＥＴＣ領域１２Ａおよび下側共用領域１２Ｄを滅灯する。当該レーンが混合レーンの場合は、ＥＴＣ領域１２Ａおよび一般領域１２Ｃを点灯するとともに、下側共用領域１２Ｄで緑地を点灯し上側共用領域１２Ｅで紫地を点灯すればよい。
【００２４】
以上の各実施の形態において、ＥＴＣ専用レーンの表示の際、図１０に示すように、紫地に白文字「ＥＴＣ  専用」と表示するようにしてもよい。この場合の一般領域１２Ｃのドット配置としては、例えば、白文字「一般」と「専用」との重複位置には白色ドットを配置し、重複位置以外の白文字「一般」の位置には紫および白を選択表示できる紫白切替ドットを配置し、重複位置以外の白文字「専用」の位置には緑および白を選択表示できる緑白切替ドットを配置し、その他の位置に紫および緑を選択表示できる紫緑切替ドットを配置すればよい。
【００２５】
さらに、図１の調光部１１において、中間領域１２Ｂの全面で紫地を点灯するための駆動信号や一般領域１２Ｃで紫地に白文字「専用」を点灯するための駆動信号を追加すればよい。なお、図６の場合は、中間領域１２Ｂ全域で紫地を点灯できるように、斜め境界部１２Ｓから一般領域１２Ｃ側に、紫および緑を選択表示できる紫緑切替ドットを配置すればよい。
そして、ＥＴＣ専用レーンの場合は、ＥＴＣ領域１２Ａで紫地に白文字「ＥＴＣ」を表示するとともに、上記の駆動信号を用いて、中間領域１２Ｂで紫地を点灯し、一般領域１２Ｃでも紫地に白文字「専用」を表示する。これにより、ＥＴＣ専用レーンについて他のレーンの場合と明確に区別でき、運転者に対して分かりやすく表示できる。
【００２６】
【発明の効果】
以上説明したように、本発明は、表示面が全体として横長の長方形をなすとともに、その長方形の長尺方向に３つの表示領域が並設されており、これら表示領域がＬＥＤからなる複数の表示画素で構成されている表示部と、当該レーンの料金収受方式に応じて表示部の各表示画素を各表示領域単位で一括して点灯制御する制御部とを設け、３つの表示領域としては、ＥＴＣ専用レーンに対応した第１の色地と白文字とを表示する複数の表示画素からなるＥＴＣ領域、一般専用レーンに対応した第２の色地と白文字とを表示する複数の表示画素からなる一般領域、およびＥＴＣ領域と一般領域との間に設けられ、斜め境界部を挟んでＥＴＣ領域側に配置された第１の色地を表示する複数の表示画素と一般領域側に配置された第２の色地を表示する複数の表示画素とからなる中間領域をそれぞれ設け、制御部により、当該レーンがＥＴＣ専用レーンのときは、ＥＴＣ領域の各表示画素を点灯して一般領域および中間領域の各表示画素を滅灯し、当該レーンが一般専用レーンのときは、一般領域の各表示画素を点灯してＥＴＣ領域および中間領域の各表示画素を滅灯し、当該レーンが混合レーンのときは、ＥＴＣ領域、一般領域および中間領域の各表示画素を点灯するようにしたので、フルカラーの表示画素を用いることなく所望の表示を行うことができ、フルカラーの表示装置と比較して、極めて簡素な回路構成で良好な視認性が得られる。
【図面の簡単な説明】
【図１】  本発明の一実施の形態による情報表示装置のブロック図である。
【図２】  表示部全体のＬＥＤ配置例である。
【図３】  ＥＴＣ領域のＬＥＤ配置例である。
【図４】  中間領域および一般領域のＬＥＤ配置例である。
【図５】  各ドットの構成例である。
【図６】  情報表示装置の動作を示す説明図である。
【図７】  表示部全体のＬＥＤ配置を示す他の例である。
【図８】  切替ドットの構成例である。
【図９】  他の情報表示装置の動作を示す説明図である。
【図１０】  他の情報表示装置の動作を示す説明図である。
【図１１】  従来の情報表示装置（字幕式）の表示例である。
【符号の説明】
１…情報表示装置、１０…制御処理部、１１…調光部、１１Ａ〜１１Ｃ…駆動信号、１２…表示部、１２Ａ…ＥＴＣ領域、１２Ｂ…中間領域、１２Ｃ…一般領域、１２Ｓ…斜め境界部、１３…照度センサ、１４…温度センサ、１５…冷却ファン、１６…電源部、１７…点灯信号、１８…調光信号、１９…電源異常信号、２…手元操作盤、２１，３１…伝送路、３…車線制御装置。
【図１】
0004536902.tif 000002
【図２】
0004536902.tif 000003
【図３】
0004536902.tif 000004
【図４】
0004536902.tif 000005
【図５】
0004536902.tif 000006
【図６】
0004536902.tif 000007
【図７】
0004536902.tif 000008
【図８】
0004536902.tif 000009
【図９】
0004536902.tif 000010
【図１０】
0004536902.tif 000011
【図１１】
0004536902.tif 000012